(57)【要約】【課題】  カウンターの上面の湯水を、前垂れで蛇行しないよう洗い場に整然と導き、この種の湯水で掃除の面積が広がったり、入浴者の快適な入浴感を害することがないようにする。【解決手段】  洗面器類を載置するためのカウンター１と、このカウンター１の前側から立ち下げられている前垂れ２とを備える。上記のカウンター１の上面の少なくとも一方の側部に、湯水を前側に導いて洗い場４に排水させる排水溝９を形成する。この排水溝９に対応する前垂れ２の位置に、排水溝９から流れる湯水を洗い場４に導くための縦溝１０を、排水溝９に連ねて形成する。【選択図】      図１
2006191981.tif 000002
【特許請求の範囲】
【請求項１】
洗面器類を載置するためのカウンターと、このカウンターの前側から立ち下げられている前垂れとを備え、上記のカウンターの上面の少なくとも一方の側部に、湯水を前側に導いて洗い場に排水させる排水溝が形成されている浴室用カウンターパネルであって、上記の排水溝に対応する前垂れの位置に、排水溝から流れる湯水を洗い場に導くための縦溝が、排水溝に連ねて形成されていることを特徴とする浴室用カウンターパネル。
【請求項２】
請求項１記載の浴室用カウンターパネルであって、排水溝から湯水が流れ込む縦溝の上端の溝幅が、排水溝の排水口端の溝幅より狭く形成されていることを特徴とする浴室用カウンターパネル。
【請求項３】
請求項１又は２記載の浴室用カウンターパネルであって、縦溝から離された前垂れの位置に、膝の配置や入浴用物品の収納用の凹部が形成されていることを特徴とする浴室用カウンターパネル。
【発明の詳細な説明】
【技術分野】
【０００１】
本発明は浴室用カウンターパネルに関し、更に詳しくは洗い場の側辺部に設けて、洗面器や手桶等の洗面器類を載置するのに使用する浴室用カウンターパネルに関するものである。
【背景技術】
【０００２】
従来この種のパネルとしては、例えばカウンターの上面に、洗い場部の床面側に向けて上昇傾斜する水勾配の上昇傾斜カウンター面と、下降傾斜する下降傾斜カウンター面とを形成し、両カウンター面の境界部に、洗い場部の床面側に向けて排水する水勾配の排水案内流路を形成しているものがある（例えば特許文献１参照）。
【０００３】
ところでこの種のカウンターパネルは、前垂れに、膝の配置やシャンプー容器等の入浴用物品を収納するための凹部が形成されることがある。従ってカウンターの上面からこの前垂れを伝わり落ちる湯水が、この凹部に流れ込むと、水垢が前垂れの表面や凹部内にシミ状に付き、広い範囲にわたって掃除が必要になるだけではなく、この種の湯水が、入浴者の足元を濡らし、不快感を招くことにもなる。
従ってこの種のパネルは、カウンターの上面の残水等の湯水を、カウンターの上面から前垂れを経て、洗い場の所定箇所に整然と流すことができるよう形成されているのが望ましい。
しかるに従来品は、カウンターの上面に形成した排水案内流路の排水口端から、湯水を、前垂れの表面を伝わらせて排水する構造であった。
従って従来品の場合は、湯水が前垂れの表面を蛇行しながら流れ落ち、前垂れや、前垂れに形成されている凹部に水垢を付けたから、従来品によると掃除を必要とする範囲が広がり、また入浴者の足元に湯水がかかり、快適な入浴感を害することがあった。
【特許文献１】特許第３２０２１８０号公報
【発明の開示】
【発明が解決しようとする課題】
【０００４】
本発明は、このような従来技術の問題点に鑑み、提案されたものである。
従って本発明の解決しようとする技術的課題は、カウンターの上面の湯水を、前垂れで蛇行しないよう洗い場に整然と導き、この種の湯水で掃除の面積が広がったり、入浴者の快適な入浴感を害することがないよう形成した浴室用カウンターパネルを提供することにある。
【課題を解決するための手段】
【０００５】
本発明は、上記の課題を解決するため、次のような技術的手段を採る。
即ち本発明は、図１等に示されるように、洗面器類を載置するためのカウンター１と、このカウンター１の前側から立ち下げられている前垂れ２とを備え、上記のカウンター１の上面の少なくとも一方の側部に、湯水を前側に導いて洗い場４に排水させる排水溝９が形成されている浴室用カウンターパネルであって、上記の排水溝９に対応する前垂れ２の位置に、排水溝９から流れる湯水を洗い場４に導くための縦溝１０が、排水溝９に連ねて形成されていることを特徴とする（請求項１）。
【０００６】
本発明の場合、縦溝１０は、洗い場４の床面に下端１０ｂが接する状態に形成される場合には限られず、洗い場４の床面の近くに下端１０ｂが配置され、下端１０ｂが床面から離されているのでも良い。この場合も、湯水を、前垂れ２で蛇行させることなく洗い場４に導くことができ、本発明の目的を達成できるからである。縦溝１０と排水溝９の断面形状は、例えばＶ字状、凹溝状、半円形状等、任意である。排水溝９は、本発明の場合、カウンター１の上面の左右何れか一方の側、或いは両方の側に形成される。
【０００７】
而して本発明のカウンターパネルは、排水溝９から湯水が流れ込む縦溝１０の上端１０ａの溝幅が、排水溝９の排水口端９ａの溝幅より狭く形成されているのが好ましい（請求項２）。
なぜならこれによると、縦溝１０の上端１０ａによって湯水の流れを絞ることができ、排水量が少ない場合でも縦溝１０の上端１０ａと排水溝９の排水口端９ａとの境で湯水の流れを途切れさせることなく、円滑、確実に排水できるからである。
【０００８】
また請求項１又は２記載の本発明は、縦溝１０から離された前垂れ２の位置に、膝の配置や入浴用物品１１の収納用の凹部１２が形成されているのが好ましい（請求項３）。
なぜならこれによると、縦溝１０から湯水が仮に溢れることがあっても凹部１２に浸入することを防止できるからである。またこれによると、カウンター１の下側の凹部１２に、石鹸や、ボトル入りシャンプーやリンス、或いは髭剃り、垢擦り等の入浴用物品１１を収納でき、使い勝手が良くなるからである。本発明の場合、凹部１２の形状は、縦溝１０から離されているのであれば、横長状には限られず、また前垂れ２に複数形成されているのでも良い。
【発明の効果】
【０００９】
本発明の浴室用カウンターパネルは、このように形成されているから、カウンターの上面の残水や洗面器等を使用する際に飛散する湯水を、前垂れの表面で蛇行させることなく、縦溝から洗い場に整然と導いて排水できる。
従ってこれによれば、この種の湯水が蛇行して水垢が前垂れの表面に広がることを防止でき、掃除に係る手間暇を軽減できる。また本発明の場合は、縦溝によって湯水を洗い場の所定箇所に確実に排水できるから、これによると入浴者の足元に湯水が流れることを防止でき、快適に入浴できる。
【発明を実施するための最良の形態】
【００１０】
以下、本発明を実施するための最良の形態を説明する。
本発明は、図１等に示されるように、洗面器や手桶等の洗面器類を載置するためのカウンター１と、このカウンター１の前側から立ち下げられている前垂れ２とを備えて形成されている。この実施形態に係る本発明品は、出窓３の下部を形成できるよう、洗い場４から浴槽５の短辺部５ａの全長にわたって長く延ばされ、出窓３の横幅とほぼ同じ長さに形成されている。
【００１１】
６は、浴槽５が配置される凹段差部である。この凹段差部６とカウンター１との境には、前後方向に延びる突条の仕切り部７が立ち上げられている。またカウンター１と凹段差部６の奥側は、垂直に立ち上げられ、凸段差部８に形成されている。カウンター１の上面を後ろ側に流れる湯水は、この凸段差部８で堰き止められ、一方の側部に導かれる。なお水栓（図示せず）は、この凸段差部８の上面に取り付けられる。
【００１２】
カウンター１の上面は、後ろ側に向かって下り勾配に形成されると共に、この実施形態では後ろ側が上記の仕切り部７の側に向かって下り勾配に形成され、浴槽５の配置される側に湯水を導いて洗い場４に排水するよう形成されている。９は、カウンター１の上面の一方の側部、即ちこの実施形態では仕切り部７とカウンター１との間に形成されている排水溝である。カウンター１の上面の後ろ側に導かれた湯水は、この排水溝９によって前側に導かれ、洗い場４に排水される。
【００１３】
１０は、上記の排水溝９から湯水を洗い場４に導くための縦溝である。この縦溝１０は、排水溝９に対応する前垂れ２の位置に、排水溝９に連ねて垂直状に形成されている。縦溝１０は、排水溝９から湯水が流れ込む上端１０ａを含め、この実施形態では溝幅が全長にわたって、排水溝９の排水口端９ａの溝幅より狭く形成されている。具体的には、縦溝１０の溝幅は、５（ｍｍ）程度に形成され、湯水が排水溝９の排水口端９ａと縦溝１０の上端１０ａの接続部分で途切れないよう形成されている。またこの実施形態の場合は、縦溝１０によって前垂れ２と洗い場４との接合箇所に隙間ができないよう、縦溝１０は、下端１０ｂが洗い場４に接することなく、その直近に配置されている。
【００１４】
また排水溝９の排水口端９ａと縦溝１０の上端１０ａの接合箇所は、縦溝１０に湯水を円滑に導くことができるよう、この実施形態では半径１０（ｍｍ）程度に湾曲傾斜されている。また排水口端９ａは、図５に示されるように、正面視でＶ字形状に絞られて傾斜が付けられ、湯水が表面張力で途切れないよう形成されている。
【００１５】
また縦溝１０から離された前垂れ２の位置には、膝を配置したり、シャンプー容器等の入浴用物品１１を収納するための凹部１２が形成されている。この凹部１２は、横長状に凹まれて形成されている。
【００１６】
次に本発明品における水の流れを説明する。
カウンター１の上面の湯水は、図１に矢示されるように、上面の奥に流れてから、一方の側に導かれ、一方の側に形成されている排水溝９に流入して前方に流れる。そして排水溝９の排水口端９ａから縦溝１０を伝わって洗い場４に排水される。またこの実施形態に係る本発明では、縦溝１０の上端１０ａの溝幅が、排水溝９の排水口端９ａの溝幅より狭く形成されているから、湯水が排水溝９と縦溝１０の接続箇所で途切れることなく、縦溝１０に引かれて流れる。
【００１７】
以上の処において、上例では排水溝９と縦溝１０の接続箇所が湾曲状に形成されているが、本発明はこれに限られず、例えば図６に示されるように形成されるのでも良い。即ちこの本発明は、上記の接続箇所が、勾配Ａを例えば４５度にして傾斜面１３に形成され、この傾斜面１３に排水溝９と縦溝１０とが小さい半径の湾曲面を介して接続されているものである。この場合は、接続箇所が傾斜面１３のため、湯水の流れ落ちる速度を接続箇所で速めることができ、湯水を一層、確実に縦溝１０に流すことができる。
【００１８】
また本発明は、縦溝１０が、図７に示されるように、上向き傾斜状に形成されているのでも良い。同図において、勾配Ａは、１０度に選定されている。この勾配Ａは、縦溝１０の長さに応じて適宜選定されるので良い。この本発明の場合は、例えば排水量が多いとき、湯水を縦溝１０に確実に伝わらせて流すことができる。従ってこれによれば、湯水が排水溝９の排水口端９ａから放出されて洗い場４に飛散することを防止できる。
【図面の簡単な説明】
【００１９】
【図１】本発明パネルの好適な一実施形態を示す要部斜視図である。
【図２】同上パネルの要部平面図である。
【図３】同上パネルの要部正面図である。
【図４】図３のＩＶ−ＩＶ線における要部断面図である。
【図５】同上パネルの要部拡大正面図である。
【図６】同上パネルの他の実施形態を示す要部拡大断面図である。
【図７】同上パネルの更に他の実施形態を示す要部拡大断面図である。
【符号の説明】
【００２０】
１      カウンター
２      前垂れ
４      洗い場
９      排水溝
１０    縦溝
【図１】
2006191981.tif 000003
【図２】
2006191981.tif 000004
【図３】
2006191981.tif 000005
【図４】
2006191981.tif 000006
【図５】
2006191981.tif 000007
【図６】
2006191981.tif 000008
【図７】
2006191981.tif 000009